(57)【特許請求の範囲】
【請求項１】
サービスネットワークへのおよびサービスネットワークからの無線伝送および受信を実行する無線モジュールと、
前記無線モジュールを介して前記サービスネットワークへＡＰＮに関連するデフォルトまたはセカンダリＰＤＰコンテキストを有効化するための第１の要求メッセージを伝送し、前記無線モジュールを介して前記サービスネットワークから前記第１の要求メッセージに対応する拒否メッセージを受信したことに応答してある値でバックオフタイマーを開始させ、前記バックオフタイマーが実行中であるときに前記無線モジュールを介し前記サービスネットワークから前記ＡＰＮに関連するデフォルトまたはセカンダリＰＤＰコンテキストを有効化するための第２の要求メッセージを受信し、前記無線モジュールを介し前記サービスネットワークへ前記第１の要求メッセージを再送し、前記第２の要求メッセージの受信に応答して前記バックオフタイマーを停止し、前記バックオフタイマーが停止された後に前記無線モジュールを介し前記サービスネットワークへ前記ＡＰＮに関連する別のデフォルトまたはセカンダリＰＤＰコンテキストを有効化するための第３の要求メッセージを伝送するコントローラモジュールと、
を含む移動通信装置。
【発明の詳細な説明】
【技術分野】
【０００１】
関連出願の相互参照
本出願は、２０１０年１２月３０日に出願された米国仮特許出願第６１／４２８３２５号の優先権を主張し、その全体が参照として本明細書に組み込まれる。本出願はまた、２０１１年１月１２日に出願された米国仮特許出願第６１／４３１９３７号の優先権も主張し、その全体が参照として本明細書に組み込まれる。
【０００２】
本発明は全体としてネットワーク輻輳制御に関し、より詳細には、パケットデータプロトコル（ＰＤＰ）コンテキスト有効化手順時におけるアクセスポイントネーム（ＡＰＮ）ベースの輻輳制御に用いられる装置および方法に関する。
【背景技術】
【０００３】
典型的な移動通信環境において、携帯電話（セルラーもしくはセルフォンとしても知られる）、無線通信機能を備えるラップトップコンピュータ、または個人用携帯情報端末（ＰＤＡ）などのユーザー機器（ＵＥ）は、１または複数のサービスネットワークと音声および／またはデータ信号をやりとりすることができる。ＵＥとサービスネットワークとの間の無線通信は、例えば移動通信用グローバルシステム（ＧＳＭ（登録商標））技術、汎用パケット無線サービス（ＧＰＲＳ）技術、広域展開用高速データレート（Ｅｎｈａｎｃｅｄ  Ｄａｔａ  ｒａｔｅｓ  ｆｏｒ  Ｇｌｏｂａｌ  Ｅｖｏｌｕｔｉｏｎ，  ＥＤＧＥ）技術、広帯域符号分割多重接続（Ｗｉｄｅｂａｎｄ  Ｃｏｄｅ  Ｄｉｖｉｓｉｏｎ  Ｍｕｌｔｉｐｌｅ  Ａｃｃｅｓｓ，  ＷＣＤＭＡ）技術、符号分割多重接続（Ｃｏｄｅ  Ｄｉｖｉｓｉｏｎ  Ｍｕｌｔｉｐｌｅ  Ａｃｃｅｓｓ  ２０００，  ＣＤＭＡ−２０００）技術、時分割同期符号分割多重接続（Ｔｉｍｅ  Ｄｉｖｉｓｉｏｎ−Ｓｙｎｃｈｒｏｎｏｕｓ  Ｃｏｄｅ  Ｄｉｖｉｓｉｏｎ  Ｍｕｌｔｉｐｌｅ  Ａｃｃｅｓｓ，  ＴＤ−ＳＣＤＭＡ）技術、ワールドワイド・インターオペラビリティ・フォー・マイクロウェーブ・アクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ，  ＷｉＭＡＸ）技術、ロング・ターム・エボリューション（Ｌｏｎｇ  Ｔｅｒｍ  Ｅｖｏｌｕｔｉｏｎ，ＬＴＥ）技術、ＬＴＥ−Ａｄｖａｎｃｅｄ技術などのような様々な無線技術を用いて実行され得る。
【０００４】
３ＧＰＰ  ＴＳ  ２３．０６０仕様書，ｖ１０．２．０（ここではＴＳ  ２３．０６０仕様書と呼ぶ）および３ＧＰＰ  ＴＳ  ２４．００８仕様書，ｖ１０．１．０（ここでは２４．００８仕様書と呼ぶ）に準拠したロング・ターム・エボリューション（ＬＴＥ）技術を例にとる。サービスに接続する前に、ＵＥは、ＰＤＰコンテキスト有効化手続を実行して、サービングＧＰＲＳサポートノード（Ｓｅｒｖｉｎｇ  ＧＰＲＳ  Ｓｕｐｐｏｒｔ  Ｎｏｄｅ，  ＳＧＳＮ）および特定のゲートウェイＧＰＲＳサポートノード（Ｇａｔｅｗａｙ  ＧＰＲＳ  Ｓｕｐｐｏｒｔ  Ｎｏｄｅ，  ＧＧＳＮ）との間でサービスをサポートすることのできるデフォルトＰＤＰコンテキストを有効化する必要がある。ＰＤＰコンテキスト有効化手続の開始として、ＵＥはＡＣＴＩＶＡＴＥ  ＰＤＰ  ＣＯＮＴＥＸＴ  ＲＥＱＵＥＳＴ（ＰＤＰコンテキスト有効化要求）メッセージをサービスネットワークへ伝送し、サービスに対するデフォルトＰＤＰコンテキストの有効化を要求する。図１に示されるように、サービスネットワークは、要求を受け入れることを決定した場合、ＰＤＰコンテキストを有効にするためのコンフィギュレーションを含むＡＣＴＩＶＡＴＥ  ＰＤＰ  ＣＯＮＴＥＸＴ  ＡＣＣＥＰＴ（ＰＤＰコンテキスト有効化受け入れ）メッセージでＵＥに応答し、ＰＤＰコンテキスト有効化手順が成功裏に終了する。そうでなければ、図２に示されるように、要求されたＰＤＰコンテキストに関連するＡＰＮにおいて輻輳が生じた場合、サービスネットワークは、原因値（ｃａｕｓｅ  ｖａｌｕｅ）＃２６  （リソース不足を示す）  を有する拒否原因（ｒｅｊｅｃｔｉｏｎ  ｃａｕｓｅ）およびバックオフタイマーの値を含むＡＣＴＩＶＡＴＥ  ＰＤＰ  ＣＯＮＴＥＸＴ  ＲＥＪＥＣＴ（ＰＤＰコンテキストの有効化拒否）メッセージでＵＥに応答する。ＡＣＴＩＶＡＴＥ  ＰＤＰ  ＣＯＮＴＥＸＴ  ＲＥＪＥＣＴメッセージを受信したら、ＵＥは、受信した値でバックオフタイマーを開始させ、かつ、バックオフタイマーが満了するまたはＵＥに／内に接続された（ｃｏｕｐｌｅｄ  ｔｏ／ｉｎ）加入者識別カード（ｓｕｂｓｃｒｉｂｅｒ  ｉｄｅｎｔｉｔｙ  ｃａｒｄ）が交換されるもしくは取り除かれるまで、拒否されたＡＰＮについてのいかなる後続のＰＤＰコンテキスト有効化も開始しない。
【発明の概要】
【発明が解決しようとする課題】
【０００５】
輻輳が発生する前にあるＡＰＮについてデフォルトＰＤＰコンテキストがすでに有効となっており、輻輳の発生後にＵＥが引き続きそのＡＰＮについてセカンダリＰＤＰコンテキストを有効化するための別の要求を伝送するという状況においては、ＡＰＮが輻輳していることからサービスネットワークは、その要求を拒否するが、ＴＳ２３．０６０仕様書および２４．００８仕様書にはかかる拒否された要求に対するＵＥの振る舞いは定義されておらず、例えば不確定なＵＥの振る舞いなどの問題が起こり得る。また、対応するバックオフタイマーが実行中の状態で、ＡＰＮについてデフォルトまたはセカンダリＰＤＰコンテキストを有効化するためのネットワーク起動の（ｎｅｔｗｏｒｋ  ｉｎｉｔｉａｔｅｄ）要求をＵＥが受信するという状況においては、同様にＴＳ２３．０６０仕様書および２４．００８仕様書にはこのネットワーク起動の要求の受信に対するＵＥの振る舞いは定義されておらず、例えば不確定なＵＥの振る舞いなどの問題が起こり得る。こうした問題を解決するため、本発明は、ＰＤＰコンテキスト有効化手順時におけるＡＰＮベースの輻輳制御に用いられる装置および方法を提供する。
【課題を解決するための手段】
【０００６】
本発明の１態様において、サービスネットワークに無線で接続される移動通信装置であって、両者間にＡＰＮについて有効なデフォルトＰＤＰコンテキストが存在している状態における移動通信装置が提供される。当該移動通信装置は、無線モジュールおよびコントローラモジュールを含む。無線モジュールは、サービスネットワークへのおよびからの無線伝送および受信を実行する。コントローラモジュールは、無線モジュールを介してサービスネットワークへ、ＡＰＮに関連するセカンダリＰＤＰコンテキスト（ｓｅｃｏｎｄａｒｙ  ＰＤＰ  ｃｏｎｔｅｘｔ）を有効化するための要求メッセージを伝送し、かつ無線モジュールを介してサービスネットワークから、使用できるリソースが無いこと（ｎｏ  ｒｅｓｏｕｒｃｅ  ａｖａｉｌａｂｌｅ）またはＡＰＮの輻輳およびバックオフタイマーの値を示す拒否メッセージを受信する。移動通信装置は、また、バックオフタイマーの値がゼロであることに応答して無線モジュールを介しサービスネットワークへ要求メッセージを再送する。
【０００７】
本発明の別の態様では、サービスネットワークに無線で接続される移動通信装置であって、両者間にＡＰＮについて有効なデフォルトＰＤＰコンテキストが存在している状態における移動通信装置に用いられるＡＰＮベースの輻輳制御方法が提供される。当該ＡＰＮベースの輻輳制御方法は、ＡＰＮに関連するセカンダリＰＤＰコンテキストを有効化するための要求メッセージをサービスネットワークへ伝送するステップ、使用できるリソースが無いこと（ｎｏ  ｒｅｓｏｕｒｃｅ  ａｖａｉｌａｂｌｅ）またはＡＰＮの輻輳およびバックオフタイマーの値を示す拒否メッセージをサービスネットワークから受信するステップ、ならびにバックオフタイマーの値がゼロであることに応答してサービスネットワークへ要求メッセージを再送するステップを含む。
【０００８】
本発明のさらに別の態様では、無線モジュールおよびコントローラモジュールを含む移動通信装置が提供される。無線モジュールは、サービスネットワークへのおよびからの無線伝送および受信を実行する。コントローラモジュールは、無線モジュールを介してサービスネットワークへＡＰＮに関連するデフォルトまたはセカンダリＰＤＰコンテキストを有効化するための第１の要求メッセージを伝送し、かつ無線モジュールを介しサービスネットワークから第１の要求メッセージに対応する拒否メッセージを受信したことに応答して、ある値でバックオフタイマーを開始させる。また、コントローラモジュールは、バックオフタイマーが実行中であるときに、無線モジュールを介しサービスネットワークからＡＰＮに関連するデフォルトまたはセカンダリＰＤＰコンテキストを有効化するための第２の要求メッセージを受信し、かつ無線モジュールを介しサービスネットワークへ第２の要求メッセージに対応する応答メッセージを伝送する。
【０００９】
本発明のまた別の態様では、ＰＤＰコンテキスト有効化手順時における移動通信装置に用いられるＡＰＮベースの輻輳制御方法が提供される。当該ＡＰＮベースの輻輳制御方法は、ＡＰＮに関連するデフォルトまたはセカンダリＰＤＰコンテキストを有効化するための第１の要求メッセージをサービスネットワークへ伝送するステップ、第１の要求メッセージに対応する拒否メッセージをサービスネットワークから受信したことに応答して、ある値でバックオフタイマーを開始させるステップ、バックオフタイマーが実行中であるときに、ＡＰＮに関連するデフォルトまたはセカンダリＰＤＰコンテキストを有効化するための第２の要求メッセージをサービスネットワークから受信するステップ、および第２の要求メッセージに対応する応答メッセージをサービスネットワークへ伝送するステップを含む。
【００１０】
以下のＰＤＰコンテキスト有効化手順時におけるＡＰＮベースの輻輳制御に用いられる装置および方法の具体的な実施形態の説明を読むことにより、当業者には本発明の他の態様および特徴が明らかとなろう。
【発明の効果】
【００１１】
本発明によれば、従来の問題を解決できる、ＰＤＰコンテキスト有効化手順時におけるＡＰＮベースの輻輳制御に用いられる装置および方法を提供することができる。
【図面の簡単な説明】
【００１２】
本発明は、添付の図面を参照し、以下の詳細な説明および例を読むことによってより十分に理解され得る。
【図１】図１は、成功したＰＤＰコンテキスト有効化手順を示すメッセージシーケンス図である。
【図２】図２は、失敗したＰＤＰコンテキスト有効化手順を示すメッセージシーケンス図である。
【図３】図３は、本発明の１実施形態による移動通信環境を示すブロック図である。
【図４】図４は、本発明の１実施形態による、ゼロ値（ｚｅｒｏ−ｖａｌｕｅｄ）のバックオフタイマーを利用した失敗したセカンダリＰＤＰコンテキスト有効化手順時におけるＡＰＮベースの輻輳制御を示すメッセージシーケンス図である。
【図５】図５は、本発明の１実施形態による、停止された（ｄｅａｃｔｉｖａｔｅｄ）バックオフタイマーを利用した失敗したセカンダリＰＤＰコンテキスト有効化手順時におけるＡＰＮベースの輻輳制御を示すメッセージシーケンス図である。
【図６】図６は、本発明の１実施形態による、非ゼロ（ｎｏｎ−ｚｅｒｏ）かつ非停止（ｎｏｎ−ｄｅａｃｔｉｖａｔｅｄ）値のバックオフタイマーを利用した失敗したセカンダリＰＤＰコンテキスト有効化手順時におけるＡＰＮベースの輻輳制御を示すメッセージシーケンス図である。
【図７】図７は、本発明の１実施形態による、関連するＡＰＮについてバックオフタイマーが実行中であるときのネットワーク起動のＰＤＰコンテキスト有効化手順に用いられるＡＰＮベースの輻輳制御を示すメッセージシーケンス図である。
【図８】図８は、本発明の別の実施形態による、関連するＡＰＮについてバックオフタイマーが実行中であるときのネットワーク起動のＰＤＰコンテキスト有効化手順に用いられるＡＰＮベースの輻輳制御を示すメッセージシーケンス図である。
【図９】図９は、本発明のさらに別の実施形態による、関連するＡＰＮについてバックオフタイマーが実行中であるときのネットワーク起動のＰＤＰコンテキスト有効化手順に用いられるＡＰＮベースの輻輳制御を示すメッセージシーケンス図である。
【図１０】図１０は、本発明の１実施形態によるＡＰＮベースの輻輳制御方法を示すフローチャートである。
【図１１】図１１は、本発明の別の実施形態によるＡＰＮベースの輻輳制御方法を示すフローチャートである。
【発明を実施するための形態】
【００１３】
以下の記載は、本発明を実施するために最良と考えられる形態である。この記載は、本発明の一般的な原理を説明する目的でなされたものであり、限定の意味に解されるべきではない。本明細書に記載される３ＧＰＰ仕様書は、本発明の精神を教示するために用いられているのであって、本発明はそれに限定されることはない点に注意されたい。
【００１４】
図１に示されるような成功したＰＤＰコンテキスト有効化手順および図２に示されるような失敗したＰＤＰコンテキスト有効化手順に加え、輻輳が発生する前にあるＡＰＮについてデフォルトＰＤＰコンテキストがすでに有効となっており、輻輳の発生後にＵＥが引き続きそのＡＰＮについてセカンダリＰＤＰコンテキストを有効化するための別の要求を伝送するという状況があり得ることに注意すべきである。ＡＰＮが輻輳しているため、サービスネットワークはその要求を拒否する。しかしながら、ＴＳ  ２３．０６０仕様書および２４．００８仕様書によれば、かかる拒否された要求に対するＵＥの振る舞いは定義されておらず、例えば不確定なＵＥの振る舞いなどの問題が起こり得る。また、対応するバックオフタイマーが実行中の状態で、ＡＰＮについてデフォルトまたはセカンダリＰＤＰコンテキストを有効化するためのネットワーク起動の（ｎｅｔｗｏｒｋ  ｉｎｉｔｉａｔｅｄ）要求をＵＥが受信するという状況もあり得る。同じように、ＴＳ  ２３．０６０仕様書および２４．００８仕様書によれば、このネットワーク起動の要求の受信に対するＵＥの振る舞いは定義されておらず、例えば不確定なＵＥの振る舞いなどの問題が起こり得る。
【００１５】
上述の問題を解決するため、本発明は、ＰＤＰコンテキスト有効化手順時におけるＡＰＮベースの輻輳制御に用いられる装置および方法を提供する。図３は、本発明の１実施形態による移動通信環境を示すブロック図である。移動通信環境３００において、移動通信装置（ｍｏｂｉｌｅ  ｃｏｍｍｕｎｉｃａｔｉｏｎ  ｄｅｖｉｃｅ）３１０は、無線サービスを得るためにサービスネットワーク３２０に無線で接続される。サービスネットワーク３２０は、アクセスネットワーク３２１およびコアネットワーク３２２を含み得るもので、このうち、アクセスネットワーク３２１は、ＷＣＤＭＡ技術におけるユニバーサル地上無線アクセスネットワーク（Ｕｎｉｖｅｒｓａｌ  Ｔｅｒｒｅｓｔｒｉａｌ  Ｒａｄｉｏ  ａｃｃｅｓｓ  ｎｅｔｗｏｒｋ，  ＵＴＲＡＮ）またはＬＴＥ／ＬＴＥ−Ａｄｖａｎｃｅｄ技術におけるＥ−ＵＴＲＡＮ（Ｅｖｏｌｖｅｄ−ＵＴＲＡＮ）であってよく、コアネットワーク３２２は、ＷＣＤＭＡ技術におけるＧＰＲＳコアまたはＬＴＥ／ＬＴＥ−Ａｄｖａｎｃｅｄ技術における進化型パケットコア（Ｅｖｏｌｖｅｄ  Ｐａｃｋｅｔ  Ｃｏｒｅ，  ＥＰＣ）であってよい。移動通信装置３１０は、サービスネットワーク３２０へのおよびからの無線伝送および受信の機能を実行するのに用いられる無線モジュール３１１と、無線モジュール３１１ならびにＭＭＩ（マン・マシンインターフェース）として機能するディスプレイユニットおよび／もしくはキーパッド、アプリケーションもしくは通信プロトコルのプログラムコードを記憶するストレージユニット、またはその他などのような他の機能要素の動作を制御するのに用いられるコントローラモジュール３１２と、を含む。より明確には、無線モジュール３１１は、高周波（ＲＦ）ユニットであってよく、かつコントローラモジュール３１２は、ベースバンドユニットの汎用プロセッサまたはマイクロコントロールユニット（ＭＣＵ）であってよい。ベースバンドユニットは、アナログ−デジタル変換（ＡＤＣ）／デジタル−アナログ変換（ＤＡＣ）、ゲイン調整、変調（ｍｏｄｕｌａｔｉｏｎ）／復調（ｄｅｍｏｄｕｌａｔｉｏｎ）、エンコーディング／デコーディングなどを含むベースバンド信号処理を行う複数のハードウェアデバイスを含み得る。ＲＦユニットは、ＲＦ無線信号を受信し、受信したＲＦ無線信号を、ベースバンドユニットにより処理されるベースバンド信号に変換する、またはベースバンドユニットからベースバンド信号を受信してから、受信したベースバンド信号を、後に伝送されることとなるＲＦ無線信号に変換することができる。またＲＦユニットは、高周波変換を行う複数のハードウェアデバイスを含んでいてもよい。例えば、ＲＦユニットは、移動通信システムの高周波において発振したキャリアにベースバンド信号を乗算するミキサーを含んでいてよく、このうち高周波は、ＷＣＤＭＡシステムにおいて用いられる９００ＭＨｚ、１９００ＭＨｚもしくは２１００ＭＨｚ、またはＬＴＥ／ＬＴＥ−Ａｄｖａｎｃｅｄシステムにおいて用いられる９００ＭＨｚ、２１００ＭＨｚもしくは２．６ＧＨｚ、または使用している無線アクセス技術（ＲＡＴ）に応じたその他の周波数であってよい。図示されてはいないが、移動通信���置３１０内に／移動通信装置３１０に接続された（ｃｏｕｐｌｅｄ  ｉｎ／ｔｏ）例えば加入者識別モジュール（Ｓｕｂｓｃｒｉｂｅｒ Ｉｄｅｎｔｉｔｙ  Ｍｏｄｕｌｅ，ＳＩＭ）カードまたは汎用加入者識別モジュール（Ｕｎｉｖｅｒｓａｌ Ｓｕｂｓｃｒｉｂｅｒ  Ｉｄｅｎｔｉｔｙ  Ｍｏｄｕｌｅ，  ＵＳＩＭ）カードのような加入者識別カードがあってもよい。加入者識別カードは、その要求に応じ電圧レベルで加入者識別カードに電力を供給するカードコントローラー（図示せず）を介してコントローラモジュール３１２に接続されてもよいし、またはコントローラモジュール３１２によって提供されるインターフェースを介し直接コントローラモジュール３１２に接続されてもよい。
【００１６】
より具体的には、コントローラモジュール３１２は、ＰＤＰコンテキスト有効化手順時においてＡＰＮベースの輻輳制御を実行するために無線モジュール３１１を制御する。図４は、本発明の１実施形態による、ゼロ値（ｚｅｒｏ−ｖａｌｕｅｄ）のバックオフタイマーを利用した失敗したセカンダリＰＤＰコンテキスト有効化手順時におけるＡＰＮベースの輻輳制御を示すメッセージシーケンス図である。サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴ（ＰＤＰコンテキストの有効化要求）メッセージを伝送して、デフォルトＰＤＰコンテキストの有効化を要求する（ステップＳ４１０）。サービスネットワーク３２０がその要求を受け入れる決定をしたことにより、要求されたＰＤＰコンテキストにＡＰＮが割り当てられ、コントローラモジュール３１２は、無線モジュール３１１を介してサービスネットワーク３２０から、デフォルトＰＤＰコンテキストを有効化するためのコンフィギュレーションを含むＡＣＴＩＶＡＴＥ  ＰＤＰ  ＣＯＮＴＥＸＴ  ＡＣＣＥＰＴ（ＰＤＰコンテキストの有効化受け入れ）メッセージを受信する（ステップＳ４２０）。要求が受け入れられたことに応答して、コントローラモジュール３１２は、受信したコンフィギュレーションに基づきＡＰＮに関連するデフォルトＰＤＰコンテキストを有効化するよう無線モジュール３１１に指示する（ステップＳ４３０）。後に、ＡＰＮに関連する別のサービス接続が要求されるとき、コントローラモジュール３１２は、無線モジュール３１１を介してサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴ（セカンダリＰＤＰコンテキストの有効化要求）メッセージを伝送し、セカンダリＰＤＰコンテキストの有効化を要求する（ステップＳ４４０）。ＡＰＮが輻輳しているという事実により、サービスネットワーク３２０は、その要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＳＥＣＯＮＤＡＲＹ  ＰＤＰ  ＣＯＮＴＥＸＴ  ＲＥＪＥＣＴ（セカンダリＰＤＰコンテキストの有効化拒否）メッセージを受信する（ステップＳ４５０）。この実施形態では、バックオフタイマーの値がゼロであるため、コントローラモジュール３１２は、任意のＰＤＰコンテキストの有効化手順を開始することが許され、よって無線モジュール３１１を介してサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを再送し、セカンダリＰＤＰコンテキストの有効化を要求する（ステップＳ４６０）。このとき、サービスネットワーク３２０は、ＡＰＮの輻輳が解消されたという事実によりその要求を受け入れる決定をし、コントローラモジュール３１２は、無線モジュール３１１を介してサービスネットワーク３２０から、セカンダリＰＤＰコンテキストを有効化するためのコンフ���ギュレーションを含むＡＣＴＩＶＡＴＥ  ＳＥＣＯＮＤＡＲＹ  ＰＤＰ  ＣＯＮＴＥＸＴ  ＡＣＣＥＰＴ（セカンダリＰＤＰコンテキストの有効化受け入れ）メッセージを受信する（ステップＳ４７０）。要求が受け入れられたことに応答して、コントローラモジュール３１２は、受信したコンフィギュレーションに基づいてＡＰＮに関連するセカンダリＰＤＰコンテキストを有効化するよう無線モジュール３１１に指示し（ステップＳ４８０）、この手順が終了する。別の実施形態では、再送されたＡＣＴＩＶＡＴＥ  ＳＥＣＯＮＤＡＲＹ  ＰＤＰ  ＣＯＮＴＥＸＴ  ＡＣＣＥＰＴメッセージが受信されたときにＡＰＮの輻輳がなお続いている場合、サービスネットワーク３２０は、代わりにＡＣＴＩＶＡＴＥ  ＳＥＣＯＮＤＡＲＹ  ＰＤＰ  ＣＯＮＴＥＸＴ  ＲＥＪＥＣＴメッセージで移動通信装置３１０に応答することができ、移動通信装置３１０は、ＰＤＰコンテキスト有効化手順を繰り返すか、または別のＰＤＰコンテキスト有効化手順を実行するまで少しの間待つかを決定することができる。
【００１７】
図５は、本発明の１実施形態による、停止した（ｄｅａｃｔｉｖａｔｅｄ）バックオフタイマーを利用した失敗したセカンダリＰＤＰコンテキスト有効化手順時におけるＡＰＮベースの輻輳制御を示すメッセージシーケンス図である。図４と同じように、サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴメッセージを伝送して、デフォルトＰＤＰコンテキストの有効化を要求する（ステップＳ５１０）。サービスネットワーク３２０がその要求を受け入れる決定をしたことにより、要求されたＰＤＰコンテキストにＡＰＮが割り当てられ、コントローラモジュール３１２は、無線モジュール３１１を介してサービスネットワーク３２０からデフォルトＰＤＰコンテキストを有効化するためのコンフィギュレーションを含むＡＣＴＩＶＡＴＥ  ＰＤＰ  ＣＯＮＴＥＸＴ  ＡＣＣＥＰＴメッセージを受信する（ステップＳ５２０）。要求が受け入れられたことに応答して、コントローラモジュール３１２は、受信したコンフィギュレーションに基づきＡＰＮに関連するデフォルトＰＤＰコンテキストを有効化するよう無線モジュール３１１に指示する（ステップＳ５３０）。後に、ＡＰＮに関連する別のサービス接続が要求されるとき、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを伝送して、セカンダリＰＤＰコンテキストの有効化を要求する（ステップＳ５４０）。ＡＰＮが輻輳しているという事実により、サービスネットワーク３２０は、その要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＳＥＣＯＮＤＡＲＹ  ＰＤＰ  ＣＯＮＴＥＸＴ  ＲＥＪＥＣＴメッセージを受信する（ステップＳ５５０）。この実施形態では、バックオフタイマーの値が停止値（ｄｅａｃｔｉｖａｔｅｄ  ｖａｌｕｅ）にセットされるため、コントローラモジュール３１２は、移動通信装置３１０が再起動される、または移動通信装置３１０内に／に接続された（ｃｏｕｐｌｅｄ  ｉｎ／ｔｏ）加入者識別カードが交換されるもしくは取り除かれるまで、いかなるＰＤＰコンテキスト有効化手順を開始することも許されない。後に、加入者識別カードが交換されるまたは取り除かれると（ステップＳ５６０）、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを再送して、セカンダリＰＤＰコンテキストの有効化を要求する（ステップＳ５７０）。このとき、サービスネットワーク３２０は、ＡＰＮの輻輳が解消されたという事実によりその要求を受け入れる決定をし、コントローラモジュール３１２は、無線モジュール３１１を介してサービスネットワーク３２０からセカンダリＰＤＰコンテキストを有効化するためのコンフィギュレーションを含むＡＣＴＩＶＡＴＥ  ＳＥＣＯＮＤＡＲＹ  ＰＤＰ  ＣＯＮＴＥＸＴ  ＡＣＣＥＰＴメッセージを受信する（ステップＳ５８０）。要求が受け入れられたことに応答して、コントローラモジュール３１２は、受信したコンフィギュレーションに基づいてＡＰＮに関連するセカンダリＰＤＰコンテキストを有効化するよう無線モジュール３１１に指示し（ステップＳ５９０）、この手順が終了する。別の実施形態では、再送されたＡＣＴＩＶＡＴＥ  ＳＥＣＯＮＤＡＲＹ  ＰＤＰ  ＣＯＮＴＥＸＴ  ＡＣＣＥＰＴメッセージが受信されたときにＡＰＮの輻輳がなお続いている場合、サービスネットワーク３２０は、代わりにＡＣＴＩＶＡＴＥ  ＳＥＣＯＮＤＡＲＹ  ＰＤＰ  ＣＯＮＴＥＸＴ  ＲＥＪＥＣＴメッセージで移動通信装置３１０に応答することができ、移動通信装置３１０は、ＰＤＰコンテキスト有効化手順を繰り返すか、または別のＰＤＰコンテキスト有効化手順を実行するまで少しの間待つかを決定することができる。
【００１８】
図６は、本発明の１実施形態による、非ゼロ（ｎｏｎ−ｚｅｒｏ）かつ非停止（ｎｏｎ−ｄｅａｃｔｉｖａｔｅｄ）値のバックオフタイマーを利用した失敗したセカンダリＰＤＰコンテキスト有効化手順時におけるＡＰＮベースの輻輳制御を示すメッセージシーケンス図である。図４と同じように、サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴメッセージを伝送して、デフォルトＰＤＰコンテキストの有効化を要求する（ステップＳ６１０）。サービスネットワーク３２０がその要求を受け入れる決定をしたことにより、要求されたＰＤＰコンテキストにＡＰＮが割り当てられ、コントローラモジュール３１２は、無線モジュール３１１を介してサービスネットワーク３２０からデフォルトＰＤＰコンテキストを有効化するためのコンフィギュレーションを含むＡＣＴＩＶＡＴＥ  ＰＤＰ  ＣＯＮＴＥＸＴ  ＡＣＣＥＰＴメッセージを受信する（ステップＳ６２０）。要求が受け入れられたことに応答して、コントローラモジュール３１２は、受信したコンフィギュレーションに基づいてＡＰＮに関連するデフォルトＰＤＰコンテキストを有効化するよう無線モジュール３１１に指示する（ステップＳ６３０）。後に、ＡＰＮに関連する別のサービス接続が要求されるとき、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを伝送して、セカンダリＰＤＰコンテキストの有効化を要求する（ステップＳ６４０）。ＡＰＮが輻輳しているという事実により、サービスネットワーク３２０は、その要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＳＥＣＯＮＤＡＲＹ  ＰＤＰ  ＣＯＮＴＥＸＴ  ＲＥＪＥＣＴメッセージを受信する（ステップＳ６５０）。この実施形態では、バックオフタイマーの値がゼロでなく、かつ停止値でないため、コントローラモジュール３１２は、受信した値でバックオフタイマーを開始させ、バックオフタイマーが満了するまではいかなるＰＤＰコンテキスト有効化手順を開始することも許されない（ステップＳ６６０）。後に、バックオフタイマーが満了した後、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを再送して、セカンダリＰＤＰコンテキストの有効化を要求する（ステップＳ６７０）。このとき、サービスネットワーク３２０は、ＡＰＮの輻輳が解消されたという事実によりその要求を受け入れる決定をし、コントローラモジュール３１２は、無線モジュール３１１を介してサービスネットワーク３２０から、セカンダリＰＤＰコンテキストを有効化するためのコンフィギュレーションを含むＡＣＴＩＶＡＴＥ  ＳＥＣＯＮＤＡＲＹ  ＰＤＰ  ＣＯＮＴＥ���Ｔ  ＡＣＣＥＰＴメッセージを受信する（ステップＳ６８０）。要求が受け入れられたことに応答して、コントローラモジュール３１２は、受信したコンフィギュレーションに基づいてＡＰＮに関連するセカンダリＰＤＰコンテキストを有効化するよう無線モジュール３１１に指示し（ステップＳ６９０）、この手順が終了する。別の実施形態では、再送されたＡＣＴＩＶＡＴＥ  ＳＥＣＯＮＤＡＲＹ  ＰＤＰ  ＣＯＮＴＥＸＴ  ＡＣＣＥＰＴメッセージが受信されたときにＡＰＮの輻輳がなお続いている場合、サービスネットワーク３２０は、代わりにＡＣＴＩＶＡＴＥ  ＳＥＣＯＮＤＡＲＹ  ＰＤＰ  ＣＯＮＴＥＸＴ  ＲＥＪＥＣＴメッセージで移動通信装置３１０に応答することができ、移動通信装置３１０は、ＰＤＰコンテキスト有効化手順を繰り返すか、または別のＰＤＰコンテキスト有効化手順を実行するまで少しの間待つかを決定することができる。  
【００１９】
図７は、本発明の１実施形態による関連するＡＰＮについてバックオフタイマーが実行中であるときのネットワーク起動のＰＤＰコンテキスト有効化手順に用いられるＡＰＮベースの輻輳制御を示すメッセージシーケンス図である。サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴメッセージを伝送して、デフォルトＰＤＰコンテキストの有効化を要求する（ステップＳ７０５）。デフォルトＰＤＰコンテキストに関連するＡＰＮが輻輳しているという事実により、サービスネットワーク３２０は、その要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＰＤＰ  ＣＯＮＴＥＸＴ  ＲＥＪＥＣＴメッセージを受信する（ステップＳ７１０）。この実施形態では、バックオフタイマーの値がゼロでなく、かつ停止値でないため、コントローラモジュール３１２は、受信した値でバックオフタイマーを開始させ、バックオフタイマーが満了するまではいかなるＰＤＰコンテキスト有効化手順を開始することも許されない（ステップＳ７１５）  。しかし、バックオフタイマーの実行期間中に、コントローラモジュール３１２は、無線モジュール３１１を介してサービスネットワーク３２０から、移動通信装置３１０にＡＰＮに関連するデフォルトＰＤＰコンテキストの有効化を要求させるためのＲＥＱＵＥＳＴ  ＰＤＰ  ＣＯＮＴＥＸＴ  ＡＣＴＩＶＡＴＩＯＮメッセージを受信する（ステップＳ７２０）。ＲＥＱＵＥＳＴ  ＰＤＰ  ＣＯＮＴＥＸＴ  ＡＣＴＩＶＡＴＩＯＮメッセージに応答して、コントローラモジュール３１２は、バックオフタイマーを停止し（ステップＳ７２５）、無線モジュール３１１を介しサービスネットワーク３２０へＡＣＴＩＶＡＴＥ  ＰＤＰ  ＣＯＮＴＥＸＴ  ＲＥＱＵＥＳＴメッセージを再送して、デフォルトＰＤＰコンテキストの有効化を要求する（ステップＳ７３０）。このとき、サービスネットワーク３２０は、ＲＥＱＵＥＳＴ  ＰＤＰ  ＣＯＮＴＥＸＴ  ＡＣＴＩＶＡＴＩＯＮメッセージに応答して要求がなされたという事実により、要求を受け入れる決定をし、コントローラモジュール３１２は、無線モジュール３１１を介してサービスネットワーク３２０から、デフォルトＰＤＰコンテキストを有効化するためのコンフィギュレーションを含むＡＣＴＩＶＡＴＥ  ＰＤＰ  ＣＯＮＴＥＸＴ  ＡＣＣＥＰＴメッセージを受信する（ステップＳ７３５）。要求が受け入れられたことに応答して、コントローラモジュール３１２は、受信したコンフィギュレーションに基づきデフォルトＰＤＰコンテキストを有効化するよう無線モジュール３１１に指示し（ステップＳ７４０）、この手順が終了する。この実施形態では、バックオフタイマーが停止されていることから、コントローラモジュール３１２は、ＡＰＮについての任意の後続のＰＤＰコンテキスト有効化手順を開始することが許される。後に、ＡＰＮに関連する別のサービス接続が要求され��とき、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを伝送して、セカンダリＰＤＰコンテキストの有効化を要求する（ステップＳ７４５）。サービスネットワーク３２０が要求を受け入れる決定をしたことにより、コントローラモジュール３１２は、無線モジュール３１１を介してサービスネットワーク３２０から、セカンダリＰＤＰコンテキストを有効化するためのコンフィギュレーションを含むＡＣＴＩＶＡＴＥ  ＳＥＣＯＮＤＡＲＹ  ＰＤＰ  ＣＯＮＴＥＸＴ  ＡＣＣＥＰＴメッセージを受信する  （ステップＳ７５０）。要求が受け入れられたことに応答して、コントローラモジュール３１２は、受信したコンフィギュレーションに基づきＡＰＮに関連するセカンダリＰＤＰコンテキストを有効化するよう無線モジュール３１１に指示し（ステップＳ７５５）、この手順が終了する。
【００２０】
図８は、本発明の別の実施形態による関連するＡＰＮについてバックオフタイマーが実行中であるときのネットワーク起動のＰＤＰコンテキスト有効化手順に用いられるＡＰＮベースの輻輳制御を示すメッセージシーケンス図である。図７と同じように、サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴメッセージを伝送して、デフォルトＰＤＰコンテキストの有効化を要求する（ステップＳ８０５）。デフォルトＰＤＰコンテキストに関連するＡＰＮが輻輳しているという事実により、サービスネットワーク３２０は、その要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＳＥＣＯＮＤＡＲＹ  ＰＤＰ  ＣＯＮＴＥＸＴ  ＲＥＪＥＣＴメッセージを受信する（ステップＳ８１０）。この実施形態では、バックオフタイマーの値がゼロでなく、かつ停止値でないため、コントローラモジュール３１２は、受信した値でバックオフタイマーを開始させ、バックオフタイマーが満了するまではいかなるＰＤＰコンテキスト有効化手順を開始することも許されない（ステップＳ８１５）  。しかし、バックオフタイマーの実行期間中に、コントローラモジュール３１２は、無線モジュール３１１を介してサービスネットワーク３２０から、移動通信装置３１０にＡＰＮに関連するデフォルトＰＤＰコンテキストの有効化を要求させるためのＲＥＱＵＥＳＴ  ＰＤＰ  ＣＯＮＴＥＸＴ  ＡＣＴＩＶＡＴＩＯＮメッセージを受信する（ステップＳ８２０）。ＲＥＱＵＥＳＴ  ＰＤＰ  ＣＯＮＴＥＸＴ  ＡＣＴＩＶＡＴＩＯＮメッセージに応答して、コントローラモジュール３１２は、バックオフタイマーの実行を継続させ（ステップＳ８２５）、無線モジュール３１１を介しサービスネットワーク３２０へＡＣＴＩＶＡＴＥ  ＰＤＰ  ＣＯＮＴＥＸＴ  ＲＥＱＵＥＳＴメッセージを再送して、デフォルトＰＤＰコンテキストの有効化を要求する（ステップＳ８３０）。このとき、サービスネットワーク３２０は、ＲＥＱＵＥＳＴ  ＰＤＰ  ＣＯＮＴＥＸＴ  ＡＣＴＩＶＡＴＩＯＮメッセージに応答して要求がなされたという事実により、要求を受け入れる決定をし、コントローラモジュール３１２は、無線モジュール３１１を介してサービスネットワーク３２０から、デフォルトＰＤＰコンテキストを有効化するためのコンフィギュレーションを含むＡＣＴＩＶＡＴＥ  ＰＤＰ  ＣＯＮＴＥＸＴ  ＡＣＣＥＰＴメッセージを受信する（ステップＳ８３５）。要求が受け入れられたことに応答して、コントローラモジュール３１２は、受信したコンフィギュレーションに基づいてデフォルトＰＤＰコンテキストを有効化するよう無線モジュール３１１に指示し（ステップＳ８４０）、この手順が終了する。この実施形態では、バックオフタイマーが依然実行中であることから、コントローラモジュール３１２は、ＡＰＮについてのいかなる後続のＰＤＰコンテキスト有効化手順を開始することも許されない。後に、バックオフタイマーが満了し、かつＡＰＮに関連する別のサービス接続が要求されたとき、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを伝送して、セカンダリＰＤＰコンテキストの有効化を要求する（ステップＳ８４５）。サービスネットワーク３２０が要求を受け入れる決定をしたことにより、コントローラモジュール３１２は、無線モジュール３１１を介してサービスネットワーク３２０から、セカンダリＰＤＰコンテキストを有効化するためのコンフィギュレーションを含むＡＣＴＩＶＡＴＥ  ＳＥＣＯＮＤＡＲＹ  ＰＤＰ  ＣＯＮＴＥＸＴ  ＡＣＣＥＰＴメッセージを受信する（ステップＳ８５０）。要求が受け入れられたことに応答して、コントローラモジュール３１２は、受信したコンフィギュレーションに基づきＡＰＮに関連するセカンダリＰＤＰコンテキストを有効化するよう無線モジュール３１１に指示し（ステップＳ８５５）、この手順が終了する。
【００２１】
図９は、本発明のさらに別の実施形態による関連するＡＰＮについてバックオフタイマーが実行中であるときのネットワーク起動のＰＤＰコンテキスト有効化手順に用いられるＡＰＮベースの輻輳制御を示すメッセージシーケンス図である。図７と同じように、サービス接続が要求されるとき、コントローラモジュール３１２は、無線モジュール３１１を介しサービスネットワーク３２０へＡＣＴＩＶＡＴＥ  ＰＤＰ  ＣＯＮＴＥＸＴ  ＲＥＱＵＥＳＴメッセージを伝送して、デフォルトＰＤＰコンテキストの有効化を要求する（ステップＳ９１０）。デフォルトＰＤＰコンテキストに関連するＡＰＮが輻輳しているという事実により、サービスネットワーク３２０はその要求を拒否する決定をし、コントローラモジュール３１２は、無線モジュール３１１を介してサービスネットワーク３２０から、原因値（ｃａｕｓｅ  ｖａｌｕｅ）＃２６（リソース不足を示す）を有する拒否原因およびバックオフタイマーの値を含むＡＣＴＩＶＡＴＥ  ＳＥＣＯＮＤＡＲＹ  ＰＤＰ  ＣＯＮＴＥＸＴ  ＲＥＪＥＣＴメッセージを受信する（ステップＳ９２０）。この実施形態では、バックオフタイマーの値がゼロでなく、かつ停止値でないため、コントローラモジュール３１２は、受信した値でバックオフタイマーを開始させ、バックオフタイマーが満了するまではいかなるＰＤＰコンテキスト有効化手順を開始することも許されない（ステップＳ９３０）。しかし、バックオフタイマーの実行期間中に、コントローラモジュール３１２は、無線モジュール３１１を介してサービスネットワーク３２０から、移動通信装置３１０にＡＰＮに関連するデフォルトＰＤＰコンテキストの有効化を要求させるためのＲＥＱＵＥＳＴ  ＰＤＰ  ＣＯＮＴＥＸＴ  ＡＣＴＩＶＡＴＩＯＮメッセージを受信する（ステップＳ９４０）。バックオフタイマーが依然実行中であることから、コントローラモジュール３１２は、いかなるＰＤＰコンテキストを作成することも許されず、よって無線モジュール３１１を介してサービスネットワーク３２０へ拒否原因を含むＲＥＱＵＥＳＴ  ＰＤＰ  ＣＯＮＴＥＸＴ  ＡＣＴＩＶＡＴＩＯＮ  ＲＥＪＥＣＴメッセージを伝送する（ステップＳ９５０）。この拒否原因は、原因値＃３１（詳細不明の、拒否された有効化を示す）にセットされていてもよいし、または要求されたＡＰＮが輻輳していたことおよびバックオフタイマーが依然実行中であることを示す原因値にセットされていてもよい。別の実施形態では、ＲＥＱＵＥＳＴ  ＰＤＰ  ＣＯＮＴＥＸＴ  ＡＣＴＩＶＡＴＩＯＮ  ＲＥＪＥＣＴメッセージは、要求されたＡＰＮ  （つまり、ＲＥＱＵＥＳＴ  ＰＤＰ  ＣＯＮＴＥＸＴ  ＡＣＴＩＶＡＴＩＯＮメッセージにおいて受信されたようなＡＰＮ）、および／またはバックオフタイマーの残り時間を示すタイマーの情報要素（ＩＥ）をさらに含んでいてもよい。ＲＥＱＵＥＳＴ  ＰＤＰ  ＣＯＮＴＥＸＴ  ＡＣＴＩＶＡＴＩＯＮ  ＲＥＪＥＣＴメッセージがバックオフタイマーの残り時間を示すタイマーのＩＥを含んでいる場合においては、サービスネットワーク３２０は、バックオフタイマーの残り時間が経過するまでいかなるネットワーク起動のＰＤＰコンテキスト有効化手順も開始しないという点に注意すべきである。後に、バックオフタイマーが満了した後、ＡＰＮに関連する別のサービス接続が要求されるときに、コントローラモジュール３１２は、無線モジュール３１１を介しサービスネットワーク３２０へＡＣＴＩＶＡＴＥ  ＳＥＣＯＮＤＡＲＹ  ＰＤＰ  ＣＯＮＴＥＸＴ  ＲＥＱＵＥＳＴメッセージを伝送して、セカンダリＰＤＰコンテキストの有効化を要求する（ステップＳ９６０）。サービスネットワーク３２０が要求を受け入れる決定をしたことにより、コントローラモジュール３１２は、無線モジュール３１１を介してサービスネットワーク３２０から、セカンダリＰＤＰコンテキストを有効化するためのコンフィギュレーションを含むＡＣＴＩＶＡＴＥ  ＳＥＣＯＮＤＡＲＹ  ＰＤＰ  ＣＯＮＴＥＸＴ  ＡＣＣＥＰＴメッセージを受信する（ステップＳ９７０）。要求が受け入れられたことに応答して、コントローラモジュール３１２は、受信したコンフィギュレーションに基づきＡＰＮに関連するセカンダリＰＤＰコンテキストを有効化するよう無線モジュール３１１に指示し（ステップＳ９８０）、この手順が終了する。
【００２２】
図１０は、本発明の１実施形態によるＡＰＮベースの輻輳制御方法を示すフローチャートである。この実施形態では、ＡＰＮベースの輻輳制御方法は、サービスネットワークに無線で接続される移動通信装置であって、両者間にＡＰＮについて有効なデフォルトＰＤＰコンテキストが存在する状態における任意の移動通信装置に適用することができる。ＡＰＮベースの輻輳制御方法の開始として、移動通信装置が、ＡＰＮに関連するセカンダリＰＤＰコンテキストを有効化するための要求メッセージをサービスネットワークへ伝送する（ステップＳ１０１０）。その後、移動通信装置は、サービスネットワークから、使用できるリソースが無いこと（ｎｏ  ｒｅｓｏｕｒｃｅ  ａｖａｉｌａｂｌｅ）またはＡＰＮの輻輳およびバックオフタイマーの値を示す拒否メッセージを受信する（ステップＳ１０２０）。具体的には、ＷＣＤＭＡ／ＬＴＥ／ＬＴＥ−Ａｄｖａｎｃｅｄ技術において、要求メッセージはＡＣＴＩＶＡＴＥ  ＳＥＣＯＮＤＡＲＹ  ＰＤＰ  ＣＯＮＴＥＸＴ  ＲＥＱＵＥＳＴメッセージであり得、かつ拒否メッセージはＡＣＴＩＶＡＴＥ  ＳＥＣＯＮＤＡＲＹ  ＰＤＰ  ＣＯＮＴＥＸＴ  ＲＥＪＥＣＴメッセージであり得る。バックオフタイマーの値がゼロであることに応答して、移動通信装置は、サービスネットワークへ要求メッセージを再送する（ステップＳ１０３０）。別の実施形態では、バックオフタイマーの値が停止値となっている場合、移動通信装置が再起動される、または移動通信装置内に／移動通信装置に接続された（ｃｏｕｐｌｅｄ  ｉｎ／ｔｏ）加入者識別カードが交換されるもしくは取り除かれるまで、移動通信装置は、いかなるＰＤＰコンテキスト有効化手順を開始することも許されない。さらに別の実施形態では、バックオフタイマーの値が非ゼロ（ｎｏｎ−ｚｅｒｏ）かつ非停止（ｎｏｎ−ｄｅａｃｔｉｖａｔｅｄ）値である場合に、移動通信装置は、受信した値でバックオフタイマーを開始させ、バックオフタイマーが満了するまでいかなるＰＤＰコンテキスト有効化を開始することも許されない。
【００２３】
図１１は、本発明の別の実施形態によるＡＰＮベースの輻輳制御方法を示すフローチャートである。この実施形態では、ＡＰＮベースの輻輳制御方法は、ＰＤＰコンテキスト有効化手順時における任意の移動通信装置に適用され得る。ＡＰＮベースの輻輳制御方法の開始として、移動通信装置が、ＡＰＮに関連するデフォルトまたはセカンダリＰＤＰコンテキストを有効化するための第１の要求メッセージをサービスネットワークへ伝送し（ステップＳ１１１０）、次いで、第１の要求メッセージに対応する拒否メッセージをサービスネットワークから受信したことに応答して、ある値でバックオフタイマーを開始させる（ステップＳ１１２０）。具体的には、ＷＣＤＭＡ／ＬＴＥ／ＬＴＥ−Ａｄｖａｎｃｅｄ技術において、第１の要求メッセージは、ＡＣＴＩＶＡＴＥ  ＰＤＰ  ＣＯＮＴＥＸＴ  ＲＥＱＵＥＳＴメッセージまたはＡＣＴＩＶＡＴＥ  ＳＥＣＯＮＤＡＲＹ  ＰＤＰ  ＣＯＮＴＥＸＴ  ＲＥＱＵＥＳＴメッセージであり得、拒否メッセージは、ＡＣＴＩＶＡＴＥ  ＰＤＰ  ＣＯＮＴＥＸＴ  ＲＥＪＥＣＴメッセージまたはＡＣＴＩＶＡＴＥ  ＳＥＣＯＮＤＡＲＹ  ＰＤＰ  ＣＯＮＴＥＸＴ  ＲＥＪＥＣＴメッセージであり得る。続いて、移動通信装置は、バックオフタイマーが実行中であるときに、ＡＰＮに関連するデフォルトまたはセカンダリＰＤＰコンテキストを有効化するための第２の要求メッセージをサービスネットワークから受信する（ステップＳ１１３０）。具体的には、第２の要求メッセージは、ＲＥＱＵＥＳＴ  ＰＤＰ  ＣＯＮＴＥＸＴ  ＡＣＴＩＶＡＴＩＯＮメッセージまたはＲＥＱＵＥＳＴ  ＳＥＣＯＮＤＡＲＹ  ＰＤＰ  ＣＯＮＴＥＸＴ  ＡＣＴＩＶＡＴＩＯＮメッセージであり得る。その後、移動通信装置は、第２の要求メッセージに対応する応答メッセージをサービスネットワークへ伝送する（ステップＳ１１４０）。１実施形態において、応答メッセージは再送された第１の要求メッセージであってよく、かつバックオフタイマーの実行は停止されても、または継続されてもよい。バックオフタイマーの実行が停止される場合、移動通信装置は、要求されればいつでも任意のＰＤＰコンテキスト有効化手順を開始することができる。そうではなく、バックオフタイマーの実行が継続される場合は、移動通信装置は、バックオフタイマーが満了するまでいかなるＰＤＰコンテキスト有効化手順も積極的に開始しないこともあり得る。別の実施形態では、応答メッセージは拒否メッセージであってもよい。具体的には、ＷＣＤＭＡ／ＬＴＥ／ＬＴＥ−Ａｄｖａｎｃｅｄ技術において、拒否メッセージは、ＲＥＱＵＥＳＴ  ＰＤＰ  ＣＯＮＴＥＸＴ  ＡＣＴＩＶＡＴＩＯＮ  ＲＥＪＥＣＴメッセージまたはＲＥＱＵＥＳＴ  ＳＥＣＯＮＤＡＲＹ  ＰＤＰ  ＣＯＮＴＥＸＴ  ＡＣＴＩＶＡＴＩＯＮ  ＲＥＪＥＣＴメッセージであり得る。拒否メッセージは、拒否原因、要求されたＡＰＮ、およびバックオフタイマーの残り時間を示すタイマーＩＥの任意の組合せを含むものであってよい。
【００２４】
例として、かつ好ましい実施形態により、本発明を説明したが、本発明はそれに限定されることはないと理解されるべきである。当業者であれば、本発明の範囲および精神を逸脱することなく、各種変更および修飾をさらに加えることができる。例えば、ＡＰＮベースの輻輳制御方法は、ＷＣＤＭＡ／ＬＴＥ／ＬＴＥ−Ａｄｖａｎｃｅｄ技術の任意の進化した技術に準拠する移動通信装置およびサービスネットワークに適用され得る。よって、本発明の範囲は、以下のクレームおよびそれらの均等物により定義および保護されるべきである。
【符号の説明】
【００２５】
３００…移動通信環境
３１０…移動通信装置
３１２…コントローラモジュール
３１１…無線モジュール
３２０…サービスネットワーク
３２１…アクセスネットワーク
３２２…コアネットワーク
【図１】
0005497728.tif 000002
【図２】
0005497728.tif 000003
【図３】
0005497728.tif 000004
【図４】
0005497728.tif 000005
【図５】
0005497728.tif 000006
【図６】
0005497728.tif 000007
【図７】
0005497728.tif 000008
【図８】
0005497728.tif 000009
【図９】
0005497728.tif 000010
【図１０】
0005497728.tif 000011
【図１１】
0005497728.tif 000012